(57)【要約】【課題】ヒートショック防止システムにおいて、既存の住宅にも容易に後付けで設置可能にし、しかも、導入に要するコストを抑えつつ、ユーザがヒートショック状態になるのを防ぐ。【解決手段】親機、１つ目の子機、及び２つ目の子機のうち、２つの温度測定装置が測定した温度の差が、所定値以内の場合と所定値を超える場合とで、これらの温度測定装置を表す印（親機マーク４６、第１子機マーク４７、及び第２子機マーク５０のうちの２つの印（マーク））の間の表示（各ライン６５〜６７の表示）を異ならせた。これにより、ユーザが、１つ目の子機及び２つ目の子機が設置された部屋に行かなくても、親機の表示部を見ただけで、親機が設置された部屋と、１つ目の子機が設置された部屋と、２つ目の子機が設置された部屋とが、温度バリアフリーの状態になっているか否かを、直感的に分かることができるので、ユーザがヒートショック状態になるのを防ぐことができる。【選択図】図８
2019207073.tif 000002
【特許請求の範囲】
【請求項１】
表示部と第１の無線通信部とを備え、通信用のケーブルを有さない第１の温度測定装置と、
測定した温度を前記第１の温度測定装置に無線送信するための第２の無線通信部を備え、通信用のケーブルを有さない第２の温度測定装置と、
測定した温度を前記第１の温度測定装置に無線送信するための第３の無線通信部を備え、通信用のケーブルを有さない第３の温度測定装置とを備えたヒートショック防止システムであって、
前記第２の温度測定装置及び前記第３の温度測定装置の少なくともいずれか一方は、濡水対策構造を有し、浴室に設置され、
前記第１の温度測定装置は、前記第１の温度測定装置を表す第１の印と、前記第２の温度測定装置を表す第２の印と、前記第３の温度測定装置を表す第３の印とを、前記表示部に表示するように制御する表示制御部をさらに備え、
前記表示制御部は、前記第１の温度測定装置が設置された部屋と、前記第２の温度測定装置が設置された部屋と、前記第３の温度測定装置が設置された部屋とが、温度バリアフリーの状態になっているか否かをユーザに報せる第１の報知部を備え、
前記第１の報知部は、
前記第１の温度測定装置が測定した温度と、前記第２の温度測定装置が測定した温度との温度差が、所定値以内の場合と前記所定値を超える場合とで、前記表示部における、前記第１の印と前記第２の印との間の表示を異ならせ、
前記第１の温度測定装置が測定した温度と、前記第３の温度測定装置が測定した温度との温度差が、所定値以内の場合と前記所定値を超える場合とで、前記表示部における、前記第１の印と前記第３の印との間の表示を異ならせ、
前記第２の温度測定装置が測定した温度と、前記第３の温度測定装置が測定した温度との温度差が、所定値以内の場合と前記所定値を超える場合とで、前記表示部における、前記第２の印と前記第３の印との間の表示を異ならせるヒートショック防止システム。
【請求項２】
前記表示制御部は、前記第１の温度測定装置が測定した温度、前記第２の温度測定装置が測定した温度、及び前記第３の温度測定装置が測定した温度の少なくとも１つが所定の温度範囲外である場合に、ユーザに報らせる第２の報知部をさらに備え、
前記第２の報知部は、
前記第１の温度測定装置が測定した温度が、所定の温度範囲内である場合と前記所定の温度範囲外である場合とで、前記第１の印を異なる態様で表示し、
前記第２の温度測定装置が測定した温度が、所定の温度範囲内である場合と前記所定の温度範囲外である場合とで、前記第２の印を異なる態様で表示し、
前記第３の温度測定装置が測定した温度が、所定の温度範囲内である場合と前記所定の温度範囲外である場合とで、前記第３の印を異なる態様で表示することを特徴とする請求項１に記載のヒートショック防止システム。
【請求項３】
前記第２の温度測定装置及び前記第３の温度測定装置の少なくともいずれか一方は、
表面に防水処理が施された温度センサと、
前記温度センサにかかる水滴が、自機の装置外部へ流れ出るように傾斜が設けられたセンサ取付部とをさらに備え、
前記第２の無線通信部及び前記第３の無線通信部の少なくともいずれか一方は、密閉されたモジュールに含まれ、前記温度センサからの出力信号を、温度データとして、前記第１の温度測定装置に無線送信し、
前記濡水対策構造は、前記温度センサの表面に施された前記防水処理、前記センサ取付部に設けられた前記傾斜、及び前記モジュールの密閉構造であることを特徴とする請求項１又は請求項２に記載のヒートショック防止システム。
【発明の詳細な説明】
【技術分野】
【０００１】
本発明は、ユーザがヒートショックになるのを防ぐためのヒートショック防止システムに関する。
【背景技術】
【０００２】
近年、高齢者の増加に伴い、政府等から、いわゆるヒートショック対策の必要性が喚起されている。ここで、「ヒートショック」とは、急激な温度変化による血圧の乱高下や脈拍の変動が原因で起こる健康被害（例えば、失神、心筋梗塞または脳梗塞）のことをいう。特に、冬季に、温かいリビング等の部屋と寒い脱衣所及び浴室との間を移動した時に、いわゆるヒートショックが起こり易い。
【０００３】
従来のヒートショックを防止するための技術として、浴室の温度を調整するための（浴室）空調システム及び浴室暖房装置が知られている（例えば、特許文献１及び特許文献２参照）。
【先行技術文献】
【特許文献】
【０００４】
【特許文献１】特開２０１６−２２３７０９号公報
【特許文献２】特開２０１７−１５３４７号公報
【発明の概要】
【発明が解決しようとする課題】
【０００５】
ところが、上記特許文献１に記載されている（浴室）空調システム、及び特許文献２に記載されている浴室暖房装置は、大掛かりな設備であり、導入の際に工事が必要であるため、導入に要するコストが高く、しかも、導入のタイミングの自由度が低い（導入のタイミングが、実質的に、住宅の新築時及び改築時に限られてしまう）。しかし、一般的に、浴室空調装置（浴室暖房装置）の設置されていない古い住宅の方が、ヒートショック関連の事故が起こりやすい。従って、ヒートショックを防止するためのシステムは、既存の住宅にも容易に後付けで設置することができるものでなければ、余り意味がない。
【０００６】
本発明は、上記課題を解決するものであり、既存の住宅にも容易に後付けで設置することができ、しかも、導入に要するコストを抑えつつ、ユーザがヒートショックの状態になるのを防ぐことが可能なヒートショック防止システムを提供することを目的とする。
【課題を解決するための手段】
【０００７】
上記課題を解決するために、本発明のヒートショック防止システムは、表示部と第１の無線通信部とを備え、通信用のケーブルを有さない第１の温度測定装置と、測定した温度を前記第１の温度測定装置に無線送信するための第２の無線通信部を備え、通信用のケーブルを有さない第２の温度測定装置と、測定した温度を前記第１の温度測定装置に無線送信するための第３の無線通信部を備え、通信用のケーブルを有さない第３の温度測定装置とを備えたヒートショック防止システムであって、前記第２の温度測定装置及び前記第３の温度測定装置の少なくともいずれか一方は、濡水対策構造を有し、浴室に設置され、前記第１の温度測定装置は、前記第１の温度測定装置を表す第１の印と、前記第２の温度測定装置を表す第２の印と、前記第３の温度測定装置を表す第３の印とを、前記表示部に表示するように制御する表示制御部をさらに備え、前記表示制御部は、前記第１の温度測定装置が設置された部屋と、前記第２の温度測定装置が設置された部屋と、前記第３の温度測定装置が設置された部屋とが、温度バリアフリーの状態になっているか否かをユーザに報せる第１の報知部を備え、前記第１の報知部は、前記第１の温度測定装置が測定した温度と、前記第２の温度測定装置が測定した温度との温度差が、所定値以内の場合と前記所定値を超える場合とで、前記表示部における、前記第１の印と前記第２の印との間の表示を異ならせ、前記第１の温度測定装置が測定した温度と、前記第３の温度測定装置が測定した温度との温度差が、所定値以内の場合と前記所定値を超える場合とで、前記表示部における、前記第１の印と前記第３の印との間の表示を異ならせ、前記第２の温度測定装置が測定した温度と、前記第３の温度測定装置が測定した温度との温度差が、所定値以内の場合と前記所定値を超える場合とで、前記表示部における、前記第２の印と前記第３の印との間の表示を異ならせるものである。
【０００８】
このヒートショック防止システムにおいて、前記表示制御部は、前記第１の温度測定装置が測定した温度、前記第２の温度測定装置が測定した温度、及び前記第３の温度測定装置が測定した温度の少なくとも１つが所定の温度範囲外である場合に、ユーザに報らせる第２の報知部をさらに備え、前記第２の報知部は、前記第１の温度測定装置が測定した温度が、所定の温度範囲内である場合と前記所定の温度範囲外である場合とで、前記第１の印を異なる態様で表示し、前記第２の温度測定装置が測定した温度が、所定の温度範囲内である場合と前記所定の温度範囲外である場合とで、前記第２の印を異なる態様で表示し、前記第３の温度測定装置が測定した温度が、所定の温度範囲内である場合と前記所定の温度範囲外である場合とで、前記第３の印を異なる態様で表示するようにしてもよい。
【０００９】
このヒートショック防止システムにおいて、前記第２の温度測定装置及び前記第３の温度測定装置の少なくともいずれか一方は、表面に防水処理が施された温度センサと、前記温度センサにかかる水滴が、自機の装置外部へ流れ出るように傾斜が設けられたセンサ取付部とをさらに備え、前記第２の無線通信部及び前記第３の無線通信部の少なくともいずれか一方は、密閉されたモジュールに含まれ、前記温度センサからの出力信号を、温度データとして、前記第１の温度測定装置に無線送信し、前記濡水対策構造は、前記温度センサの表面に施された前記防水処理、前記センサ取付部に設けられた前記傾斜、及び前記モジュールの密閉構造であるようにしてもよい。
【発明の効果】
【００１０】
本発明によれば、第１の温度測定装置、第２の温度測定装置、及び第３の温度測定装置が、いずれも、それぞれの無線通信部（第１の無線通信部、第２の無線通信部、又は第３の無線通信部）を備えるようにすることにより、通信用のケーブルを有さないようにした。これにより、通信用のケーブルの配線工事が不要になるので、第２の温度測定装置及び第３の温度測定装置のうち、濡水対策構造を有する温度測定装置を、浴室に置き、残りの温度測定装置と第１の温度測定装置とを、浴室以外の部屋に置くだけで、システムを導入することができる。従って、既存の住宅にも容易に後付けで設置することができ、しかも、導入に要するコストを抑えることができる。
【００１１】
しかも、本発明によれば、第１の報知部が、第１の温度測定装置、第２の温度測定装置、及び第３の温度測定装置のうち、２つの温度測定装置が測定した温度の差（温度差）が、所定値以内の場合と所定値を超える場合とで、これらの温度測定装置を表す印（第１の印、第２の印、及び第３の印のうちの２つの印）の間の表示を異ならせるようにした。これにより、ユーザが、第２の温度測定装置が設置された部屋、及び第３の温度測定装置が設置された部屋に行かなくても、第１の温度測定装置の表示部を見ただけで、第１の温度測定装置が設置された部屋と、第２の温度測定装置が設置された部屋と、第３の温度測定装置が設置された部屋とが、温度バリアフリーの状態になっているか否かを、一目で直感的に分かることができる。従って、上記特許文献１及び２のような大掛かりな設備を備えたシステムと異なり、導入に要するコストを抑えつつ、ユーザがヒートショックの状態になるのを防ぐことができる。
【図面の簡単な説明】
【００１２】
【図１】本発明の一実施形態のヒートショック防止システムの概略構成を示す図。
【図２】同ヒートショック防止システムにおける親機の電気的ブロック構成図。
【図３】上記親機のＣＰＵにより実現される機能ブロック構成図。
【図４】同ヒートショック防止システムにおける子機の電気的ブロック構成図。
【図５】上記親機の表示部における表示エリアを示す図。
【図６】上記親機の表示部に表示される温度差表示を示す図。
【図７】上記親機と２つの子機が測定した各温度が、いずれも、快適な温度範囲内で、かつ、これらの各測定温度間の差が、いずれも、５°Ｃ以内の場合における、上記温度差表示の表示態様を示す図。
【図８】上記親機と２つの子機が測定した各温度が、いずれも、快適な温度範囲内であるが、親機と２つ目の子機が測定した測定温度間の差が５°Ｃを超える場合における、上記温度差表示の表示態様を示す図。
【図９】１つ目の子機が測定した温度が、快適な温度範囲内に入っていない場合における、上記温度差表示の表示態様を示す図。
【図１０】上記親機の表示モードが湿度表示モードの時における、表示部の表示例を示す図。
【図１１】裏側筐体を取り外した状態の子機の内部構成を示す図。
【図１２】上記子機の側面図。
【図１３】上記子機の正面図。
【図１４】上記子機の裏側筐体の内面を示す図。
【発明を実施するための形態】
【００１３】
以下、本発明を具体化した実施形態によるヒートショック防止システムについて、図面を参照して説明する。図1に示されるように、本実施形態によるヒートショック防止システム１は、３つの測定装置、すなわち、親機２（請求項における第１の温度測定装置）と、子機３（請求項における第２の温度測定装置）と、子機４（請求項における第３の温度測定装置）とを備えている。また、親機２は、ＬＣＤ（Ｌｉｑｕｉｄ  Ｃｒｙｓｔａｌ  Ｄｉｓｐｌａｙ）等の表示装置である表示部６を備えている。親機２、子機３、及び子機４は、例えば、図１に示されるように、それぞれ、リビング（ルーム）７、脱衣所８、浴室９に配置される。具体的には、例えば、親機２は、リビング７の壁に掛けられ、子機３と、子機４は、それぞれ、脱衣所８の床と、浴室９の床に置かれる。当然に、親機２はリビング７にある棚又は窓台に置かれてもよく、子機３は脱衣所８にある棚又は窓台に置かれてもよく、子機４は浴室９にある棚又は窓台に置かれてもよい。図１の例では、子機３、子機４は、それぞれ、自機が置かれた脱衣所８、浴室９の温度及び湿度を測定して、測定した温度及び湿度を、親機２に無線送信する。そして、親機２は、自機が測定したリビング７の温度及び湿度に加えて、子機３及び子機４から無線で受信した脱衣所８及び浴室９の温度又は湿度を、表示部６に表示する。
【００１４】
ここで、このヒートショック防止システム１では、親機２、子機３、及び子機４が、いずれも、親機２、子機３、及び子機４の間の通信を、無線通信（例えば、特定小電力無線）で行うようにした。このため、親機２、子機３、及び子機４は、いずれも、通信用のケーブルを有さない。このヒートショック防止システム１では、親機２、子機３、及び子機４を、上記のような構成にしたことにより、通信用のケーブルの配線工事が不要になるので、親機２をリビング、台所等の部屋の壁に掛け、子機３を脱衣所８等の部屋に置き、濡水対策構造を有する子機４を浴室９に置くだけで、システムを導入することができる。従って、このヒートショック防止システム１は、既存の住宅にも容易に後付けで設置することができ、しかも、導入に要するコストを抑えることができる。
【００１５】
ヒートショック防止システム１では、親機２、子機３、及び子機４のいずれも、電池を備えることによって電源が供給されてもよく、配置される部屋のコンセント（ソケット）から電源が供給されてもよい。ここで、親機２、子機３、及び子機４のいずれか又は全てが、電池（電池１９又は電池３９）をさらに備える場合には、電池を備えた親機２、子機３、及び子機４のいずれか又は全てが、電源供給用のケーブルを備える必要がなくなる。そのため、電池を備えた親機２、子機３、及び子機４のいずれか又は全ては、コンセント（ソケット）の位置を考慮することなく配置できるため、親機２、子機３、及び子機４のいずれか又は全ての配置の自由度が高まる。以下に説明するヒートショック防止システム１の実施形態は、親機２、子機３、及び子機４の全てが電池（電池１９又は電池３９）を備えるものとして説明する。
【００１６】
図２は、上記の親機２の電気的ブロック構成を示す。図２に示されるように、親機２は、上記の表示部６に加えて、装置全体の制御と各種演算を行うＣＰＵ１０と、自機が配置された部屋（例えば、リビング７）の温度を測定する温度センサ１１と、自機が配置された部屋の湿度を測定する湿度センサ１２とを備えている。温度センサ１１には、例えば、サーミスタ等の半導体温度センサが用いられる。湿度センサ１２には、例えば、静電容量変化方式又は、抵抗変化方式の湿度センサが用いられる。これらのうち、静電容量変化方式の湿度センサは、一般的に抵抗変化方式の湿度センサと比較して、応答速度が速く、高温及び低温の環境下でも使用可能であり、しかも、低湿度測定能力に優れているので、湿度センサ１２として、静電容量変化方式のものを用いるのが望ましい。また、親機２の本体側部に設けられた操作部１３は、ユーザが各種の設定入力を行うためのキーを有している。
【００１７】
また、親機２は、子機３及び子機４との間の無線通信を行うための無線通信部１４（請求項における第１の無線通信部）を備えている。この無線通信部１４は、アンテナ１５と通信制御ＩＣ１６とから構成されている。さらに、親機２は、メモリ１７と、電池１９（第１の電池）とを備えている。メモリ１７は、各種のプログラムとデータを記憶するＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を含んでいる。メモリ１７に記憶されているプログラムには、表示部６における画面表示を制御するための表示制御プログラム１８が含まれている。電池１９は、親機２内の各回路に電源を供給する。
【００１８】
図３は、上記の親機２のＣＰＵ１０により実現される機能ブロックを示す。図３に示すように、表示制御部２１は、第１の報知部２２、及び第２の報知部２３を備えて（含んで）いる。ＣＰＵ１０内の各ブロック（表示制御部２１、第１の報知部２２、及び第２の報知部２３）の機能は、ＣＰＵ１０がメモリ１７に格納された、表示制御プログラム１８を実行することにより実現される。ただし、この構成に限られず、例えば、第１の報知部２２及び第２の報知部２３のブロックの機能の少なくとも一つを、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成される個別のハードウェアによって実現してもよい。
【００１９】
詳細については後述するが、表示制御部２１は、自機（親機２）を表す第１の印と、子機３を表す第２の印と、子機４を表す第３の印とを、表示部６に表示するように制御する。第１の報知部２２は、自機（親機２）が設置された部屋（例えば、リビング７）と、子機３が設置された部屋（例えば、脱衣所８）と、子機４が設置された部屋（例えば、浴室９）とが、温度バリアフリーの状態になっているか否かをユーザに報せる。ここで、温度バリアフリーとは、温度差がない状態を表す。なお、「温度差がない」とは、温度差がゼロ（０）の場合に限定されるものではなく、本実施形態では、所定値以上の温度差（例えば、５℃以上の温度差）がない状態を、温度バリアフリーの状態になっているものとして説明する。第２の報知部２３は、自機（親機２）が測定した温度、子機３が測定した温度、及び子機４が測定した温度の少なくとも１つが所定の温度範囲外である場合に、ユーザに報せる。
【００２０】
図４は、上記の子機３及び子機４の電気的ブロック構成を示す。子機３と子機４の電気的ブロック構成は、同じであるので、以下の説明では、子機３の電気的ブロック構成のみを説明する。図４に示されるように、子機３は、装置全体の制御と各種演算を行うＣＰＵ３０と、自機が配置された部屋の温度を測定する温度センサ３１と、自機が配置された部屋の湿度を測定する湿度センサ３２とを備えている。また、子機３は、親機２との間の無線通信を行うための無線通信部３４（請求項における第２の無線通信部）（子機４においては請求項における第３の無線通信部）を備えている。この無線通信部３４は、アンテナ３５と通信制御ＩＣ３６とから構成されている。さらに、子機３は、メモリ３７と、電池３９（第２の電池）（子機４においては第３の電池）とを備えている。メモリ３７は、各種のプログラムとデータを記憶するＲＯＭと、ＲＡＭを含んでいる。電池３９は、子機３内の各回路に電源を供給する。
【００２１】
次に、図５を参照して、親機２の表示部６における表示エリアについて説明する。親機２の表示部６における表示エリアは、図５に示すように、カレンダ・時計表示エリア４１、親機２の測定結果表示エリア４２、１つ目の子機３の測定結果表示エリア４３、及び２つ目の子機４の測定結果表示エリア４４に分かれている。カレンダ・時計表示エリア４１には、現在の月、日、曜日、時間、及び時計標準電波の受信状況を表す電波時計通信マークが表示される。親機２の測定結果表示エリア４２には、親機２が測定した（親機２が設置された部屋の）温度と湿度に加えて、親機２を表す親機マーク４６（請求項における「第１の印」）が表示される。なお、親機２の測定結果表示エリア４２には、親機２の表示モードが温度表示モードであっても湿度表示モードであっても、親機２が測定した温度及び湿度の双方が表示されている。
【００２２】
１つ目の子機３の測定結果表示エリア４３には、子機３が測定した（子機３が設置された部屋の）温度又は湿度に加えて、子機３を表す第1子機マーク４７（請求項における「第２の印」）と、子機３からの受信電波の強さを表す通信マーク４８が表示される。なお、親機２の表示モードが、温度表示モードの時には、測定結果表示エリア４３には、図５に示すように、子機３が測定した温度が表示され、親機２の表示モードが、湿度表示モードの時には、測定結果表示エリア４３には、子機３が測定した湿度が表示される。また、子機３が設置された部屋の環境が、季節性インフルエンザにかかり易い環境のときには、図５に示すように、子機３の測定結果表示エリア４３に、インフルエンザ注意レベルマーク４９が表示される。なお、図５の例では表示されていないが、親機２が設置された部屋の環境が、季節性インフルエンザにかかり易い環境のときには、親機２の測定結果表示エリア４２にも、インフルエンザ注意レベルマークが表示される。
【００２３】
２つ目の子機４の測定結果表示エリア４４には、子機４が測定した（子機４が設置された部屋の）温度又は湿度に加えて、子機４を表す第２子機マーク５０（請求項における「第３の印」）と、子機４からの受信電波の強さを表す通信マーク５１が表示される。なお、親機２の表示モードが、温度表示モードの時には、測定結果表示エリア４４には、図５に示すように、子機４が測定した温度が表示され、親機２の表示モードが、湿度表示モードの時には、測定結果表示エリア４４には、子機４が測定した湿度が表示される。また、子機４が設置された部屋の環境が、季節性インフルエンザにかかり易い環境のときには、子機４の測定結果表示エリア４４に、インフルエンザ注意レベルマーク５２が表示される。
【００２４】
また、親機２の表示モードが、温度表示モードの時には、図６に示すように、表示部６の中央部に、温度差表示６１が表示される。この温度差表示６１は、親機２が設置された部屋（例えば、リビング）と、子機３が設置された部屋（例えば、脱衣所）と、子機４が設置された部屋（例えば、浴室）とが、快適な温度範囲内で、かつ、温度バリアフリーの状態になっているか否かをユーザに報せるための表示である。親機３のＣＰＵ１０の表示制御部２１（の第１の報知部２２及び第２の報知部２３）は、親機２、子機３、及び子機４の各測定装置による測定温度と、これらの測定温度間の差（温度差）に応じて、温度差表示６１の表示を変化させる（異ならせる）。
【００２５】
次に、図７乃至図９を参照して、上記温度差表示６１の表示態様の詳細について説明する。親機２、子機３、及び子機４が設置された各部屋の室温（親機２、子機３、及び子機４が測定した各温度）が、いずれも、１７°Ｃ〜２８°Ｃの快適な温度範囲内（請求項における「所定の温度範囲内」に相当）で、かつ、これらの各部屋間の温度差（親機２、子機３、及び子機４が測定した各測定温度間の差）が、いずれも、５°Ｃ（請求項における「所定値」に相当）以内の場合、親機２の表示制御部２１は、温度差表示６１を、図７に示す態様で表示する。すなわち、この場合には、親機２の表示制御部２１（の第１の報知部２２及び第２の報知部２３）は、親機マーク４６、第1子機マーク４７、及び第２子機マーク５０の全てを点灯させると共に、親機マーク４６と第1子機マーク４７との間のライン６５、第1子機マーク４７と第２子機マーク５０との間のライン６６、及び第２子機マーク５０と親機マーク４６との間のライン６７の全てを、つながった状態で表示する。ここで、「つながった状態」とは、各ライン６５、６６、６７における太線６８と枠線６９の両方が表示（点灯）された状態を意味する。なお、上記のライン６５、ライン６６、及びライン６７は、それぞれ、請求項における「第１の印と第２の印との間」、「第２の印と前記第３の印との間」、及び「第１の印と記第３の印との間」に相当する。
【００２６】
これに対して、親機２、子機３、及び子機４が設置された各部屋の室温（親機２、子機３、及び子機４が測定した各温度）が、いずれも、１７°Ｃ〜２８°Ｃの快適な温度範囲内であっても、これらの各部屋間の温度差（親機２、子機３、及び子機４が測定した各測定温度間の差）が５°Ｃを超える場合には、親機２の表示制御部２１（の第１の報知部２２）は、上記の３つのライン６５〜６７のうち、温度差が５°Ｃを超えるラインを、（輪の）つながりが切れた状態で表示する。ここで、「つながりが切れた状態」とは、各ライン６５、６６、６７における太線６８が表示されず、枠線６９のみが表示（点灯）された状態を意味する。例えば、親機２、子機３、及び子機４が設置された各部屋の室温（親機２、子機３、及び子機４が測定した各温度）が、いずれも、１７°Ｃ〜２８°Ｃの快適な温度範囲内であるが、親機２が設置された部屋と子機４が設置された部屋との温度差（親機２と子機４が測定した測定温度間の差）が５°Ｃを超える場合には、親機２の表示制御部２１（の第１の報知部２２）は、図８に示すように、ライン６７を、つながりが切れた状態で表示する。すなわち、親機２の表示制御部２１（の第１の報知部２２）は、ライン６７における枠線６９のみを表示する。
【００２７】
また、親機２、子機３、及び子機４が設置された各部屋の室温（親機２、子機３、及び子機４が測定した各温度）が、１７°Ｃ〜２８°Ｃの快適な温度範囲内に入っていない場合には、親機２の表示制御部２１（の第２の報知部２３）は、上記の１７°Ｃ〜２８°Ｃの温度範囲内に入っていない部屋に設置された測定装置を表すマークと、このマークから延びるラインを、所定の時間間隔で（例えば、０．５秒毎に）、点滅させる。例えば、子機３が設置された部屋の室温（子機３が測定した温度）が、１７°Ｃ〜２８°Ｃの快適な温度範囲内に入っていない場合には、親機２の表示制御部２１（の第２の報知部２３）は、図９に示すように、子機３を表す第1子機マーク４７と、このマークから延びるライン６５及びライン６６を、点滅させる。この場合に、点滅させられるライン（例えば、図９中のライン６５及びライン６６）では、枠線６９のみが点滅表示され、太線６８は表示されない。なお、親機２の表示制御部２１（の第２の報知部２３）は、親機２、子機３、及び子機４が測定した各温度が、１７°Ｃ〜２８°Ｃの快適な温度範囲内に入っていない場合には、親機２、子機３、及び子機４が測定した各測定温度間の差が５°Ｃを超えるか否かに関わらず、上記のマークとラインの点滅処理を行う。
【００２８】
上記のように、通常（初期設定）では、快適な温度範囲は、１７°Ｃ〜２８°Ｃの範囲に設定されるが、この快適な温度範囲の下限値（１７°Ｃ）と上限値（２８°Ｃ）とは、操作部１３を用いた指示操作により、１７°Ｃ〜２８°Ｃの間の値に、変更可能であり、ユーザの感覚や、使用（設置）場所に合わせて、快適な温度範囲をカスタマイズすることができる。なお、正確に言うと、上限値は、下限値以上、２８°Ｃ以下の範囲で、設定（変更）可能である。
【００２９】
図１０は、親機２の表示モードが湿度表示モードの時における、表示部６の表示例を示す。親機２の表示モードが、湿度表示モードの時には、図１０に示すように、表示部６の中央部には、上記の温度差表示６１の代わりに、湿度表示マーク７１が表示される。この湿度表示マーク７１は、上記の親機マーク４６と第1子機マーク４７と第２子機マーク５０との間を、細線７２で結んだものである。なお、上述したように、この湿度表示モードの時には、測定結果表示エリア４３と測定結果表示エリア４４には、それぞれ、子機３が測定した湿度と、子機４が測定した湿度が表示される。
【００３０】
次に、図１１乃至図１４を参照し、浴室９に配置され得ることを想定して、子機４に設けられた濡水対策構造について説明する。図１１は、裏側筐体９１（図１２及び図１４参照）を取り外した時の子機４の内部構成を示す。図１１に示すように、子機４の表側筐体８１の内部は、仕切り枠８６で、センサ取付部８３と、モジュール取付部８４とに仕切られている。なお、図１４に示すように、子機４の裏側筐体９１の内部も、表側筐体８１側の仕切り枠８６と対になる仕切り枠９６で、センサ収納空間９３と、モジュール収納空間９４とに仕切られている。
【００３１】
センサ取付部８３には、温湿度センサ８２が取り付けられている。この温湿度センサ８２は、温度検出素子と湿度検出素子を有するモジュールであり、図４における温度センサ３１と湿度センサ３２とを合わせたものである。温湿度センサ８２の表面には、例えば、空気は透過するが、水分は通さない防水シート（例えば、樹脂系の防水シート）を貼る等の方法により、防水処理が施されている。なお、図１２に示す側面通気口９０、及び図１３に示す表面通気口９２は、温湿度センサ８２が空気に触れるようにするために設けた通気口である。温湿度センサ８２は、側面通気口９０及び表面通気口９２を通ってセンサ取付部８３内部に流入した空気の温度と湿度を測定することにより、子機４が設置された部屋の室温と湿度を測定する。
【００３２】
また、図１１に示すように、センサ取付部８３（における仕切り枠８６）には、温湿度センサ８２にかかる水滴が、子機４の装置外部へ流れ出るように、傾斜部８５が設けられている。また、図１４に示すように、裏側筐体９１のセンサ収納空間９３を形成する仕切り枠９６にも、傾斜部９５が設けられている。これらの傾斜部８５と傾斜部９５を設けたことにより、子機４のセンサ取付部８３（及びセンサ収納空間９３）の内部に水が入った場合でも、この水のうち殆どは、図１２に示す側面通気口９０のうち、一番下側の側面通気口９０から、子機４の装置外部へ流れ出る。従って、子機４のセンサ取付部８３の内部に水が入って、温湿度センサ８２に水滴がかかった場合でも、温湿度センサ８２が水に浸されたままになることを防ぐことができるので、温湿度センサ８２が、水温を測定してしまうことを防ぐことができる。
【００３３】
また、上記のモジュール取付部８４には、モジュール８７が、取り付けられている。モジュール８７は、アンテナ３５と、基板８８の表面（図１１で示される基板８８の面の反対側の面）側に設けられたＩＣ等の回路とから構成される。このモジュール８７は、表側筐体８１と、表側筐体８１に設けられた仕切り枠８６と、裏側筐体９１と、裏側筐体９１に設けられた仕切り枠９６とで密閉されている。図４で説明した無線通信部３４は、上記の密閉されたモジュール８７に含まれ、上記の温湿度センサ８２からの出力信号を、温度データ及び湿度データとして、親機２に無線送信する。なお、モジュール８７（における基板８８の表面側）に設けられた回路には、上記の無線通信部３４の通信制御ＩＣ３６に加えて、図４に示すＣＰＵ３０とメモリ３７とが含まれる。また、図１４に示す電池収納ボックス９７は、図４に示す電池３９を収納する。
【００３４】
上記の温湿度センサ８２の表面に施された防水処理（防水シート添付）、センサ取付部８３（における仕切り枠８６）に設けられた傾斜（傾斜部８５）、裏側筐体９１の仕切り枠９６に設けられた傾斜（傾斜部９５）、及びモジュール８７の密閉構造が、子機４に設けられた濡水対策構造である。このような濡水対策構造を採った（設けた）ことにより、子機４は、浴室９において使用することができる。なお、上記の例では、裏側筐体９１のセンサ収納空間９３を形成する仕切り枠９６にも、傾斜部９５を設けたが、センサ取付部８３を形成する仕切り枠８６にだけ、傾斜部を設けるようにしてもよい。また、子機４に設けられた濡水対策構造には、図１１乃至図１３に示す脚８９も、含んでもよい。この脚８９を設けたことにより、子機４を、浴室内の窪んだ（水が溜まりやすい）場所に置いた場合でも、子機４内の温湿度センサ８２及びモジュール８７が、水没し難くすることができる。
【００３５】
上記のように、本実施形態のヒートショック防止システム１によれば、親機２、子機３、及び子機４が、いずれも、それぞれの無線通信部（無線通信部１４又は無線通信部３４）を備えるようにすることにより、通信用のケーブルを有さないようにした。これにより、通信用のケーブルの配線工事が不要になるので、濡水対策構造を有する子機４を、浴室９に置き、親機２と子機３とを、浴室９以外の部屋（例えば、リビング７、脱衣所８等）に置くだけで、システムを導入することができる。従って、このヒートショック防止システム１は、既存の住宅にも容易に後付けで設置することができ、しかも、導入に要するコストを抑えることができる。また、親機２、子機３、及び子機４のいずれか又は全てが、電池（電池１９又は電池３９）をさらに備える場合には、電池を備えた親機２、子機３、及び子機４のいずれか又は全てが、電源供給用のケーブルを備える必要がなくなる。そのため、電池を備えた親機２、子機３、及び子機４のいずれか又は全ては、コンセント（ソケット）の位置を考慮することなく配置できるため、親機２、子機３、及び子機４のいずれか又は全ての配置の自由度が高まる。
【００３６】
しかも、本実施形態のヒートショック防止システム１によれば、ＣＰＵ１０の第１の報知部２２が、親機２、子機３、及び子機４のうち、２つの測定装置が測定した温度の差（温度差）が、５°Ｃ以内の場合と５°Ｃを超える場合とで、これらの測定装置を表す印（親機マーク４６、第1子機マーク４７、及び第２子機マーク５０）の間の表示（ライン６５〜６７の表示）を異ならせるようにした。これにより、ユーザが、子機３が設置された部屋、及び子機４が設置された部屋に行かなくても、親機２の表示部６を見ただけで、親機２が設置された部屋と、子機３が設置された部屋と、子機４が設置された部屋とが、温度バリアフリーの状態になっているか否かを、一目で直感的に分かることができる。例えば、ユーザは、リビング７に居ながら親機２の表示部６を見るだけで、子機３が配置された脱衣所８又は子機４が配置された浴室９の温度が、親機２が配置されたリビング７よりも５°Ｃを超えて下回っていることが直感的に分かる。この場合、ユーザは、入浴をするために脱衣所８で服を脱ぐ前、又は浴室９に裸で入室する前に、脱衣所８又は浴室９の温度を上げる判断がしやすくなる。従って、上記特許文献１及び２のような大掛かりな設備を備えたシステムと異なり、導入に要するコストを抑えつつ、ヒートショックの発生を防ぐことができる。
【００３７】
また、本実施形態のヒートショック防止システム１によれば、親機２のＣＰＵ１０（の第２の報知部２３）は、親機２が測定した温度が、１７°Ｃ〜２８°Ｃの快適な温度範囲内である場合と、上記の温度範囲外である場合とで、親機マーク４６を異なる態様で表示し、子機３が測定した温度が、上記の温度範囲内である場合と、上記の温度範囲外である場合とで、第1子機マーク４７を異なる態様で表示し、子機４が測定した温度が、上記の温度範囲内である場合と、上記の温度範囲外である場合とで、第２子機マーク５０を異なる態様で表示するようにした。上記のように、各測定装置（親機２、子機３、及び子機４）が測定した温度が、１７°Ｃ〜２８°Ｃの快適な温度範囲内であるか否かに基づいて、各測定装置を表す印（親機マーク４６、第1子機マーク４７、及び第２子機マーク５０）を異なる態様で表示するようにしたことにより、各測定装置が測定した温度自体に基づいて、各部屋の温度環境が、ユーザが快適に過ごせるものであるか否かを直感的に分かりやすく報知することができる。
【００３８】
さらに、本実施形態のヒートショック防止システム１によれば、子機３と子機４のうち、少なくとも子機４が、表面に防水処理が施された温湿度センサ８２と、温湿度センサ８２にかかる水滴が自機の装置外部へ流れ出るように傾斜（傾斜部８５）が設けられたセンサ取付部８３とを備え、子機４の無線通信部３４が、密閉されたモジュール８７に含まれるようにした。子機４に上記のような濡水対策構造（温湿度センサ８２の表面に施された防水処理、センサ取付部８３に設けられた傾斜（傾斜部８５）、及びモジュール８７の密閉構造）を設けたことにより、子機４は、浴室９において使用することができる。
【００３９】
変形例：
なお、本発明は、上記の各実施形態の構成に限られず、発明の趣旨を変更しない範囲で種々の変形が可能である。次に、本発明の変形例について説明する。
【００４０】
変形例１： 
上記の実施形態では、親機２をリビング７、台所等の部屋の壁に掛け、子機３を脱衣所８等の部屋に置き、濡水対策構造を有する子機４を浴室９に置くようにした。けれども、本発明のヒートショック防止システム１における親機２、子機３、及び子機４の設置の方法は、これに限られず、例えば、子機３を脱衣所８等の部屋の壁に掛けてもよいし、子機４を浴室９の壁に掛けてもよい。
【００４１】
変形例２： 
上記の実施形態では、（１）親機２、子機３、及び子機４のうちの２つの測定装置が測定した温度間の差が、所定値以内で、かつ、（２）これらの測定装置が測定した温度が、いずれも、所定の温度範囲内である場合に、これらの測定装置に相当するマークの間のライン（ライン６５、ライン６６、又はライン６７）を、つながった状態で表示し、上記（１）及び（２）のいずれかの条件が満たされない場合には、上記のラインを、つながりが切れた状態で表示するようにした。けれども、上記（２）の条件が満たされるか否かに関わらず、（１）の条件（親機２、子機３、及び子機４のうちの２つの測定装置が測定した温度間の差が、所定値以内であるという条件）が満たされれば、これらの測定装置に相当するマークの間のライン（ライン６５、ライン６６、又はライン６７）を、つながった状態で表示するようにしてもよい。
【００４２】
変形例３： 
上記の実施形態では、上記（１）及び（２）の両方の条件が満たされる場合に、これらの測定装置に相当するマークの間のライン（ライン６５、ライン６６、又はライン６７）を、太線６８と枠線６９の両方が点灯された状態で表示し、上記（２）のみの条件が満たされる場合には、上記のラインを、枠線６９のみが点灯された状態で表示するようにし、上記（１）のみの条件が満たされる場合、並びに上記（１）及び（２）の双方の条件が満たされない場合には、上記のラインを、枠線６９のみが点滅されるよう表示するようにした。けれども、上記（１）及び（２）の両方の条件が満たされる場合に、これらの測定装置に相当するマークの間のラインを、太線６８のみが点灯された状態で表示するようにしてもよいし、上記（１）及び（２）のいずれかの条件が満たされない場合には、上記のラインの太線６８及び枠線６９のいずれも表示しないように（消灯）してもよい。
【００４３】
変形例４： 
上記の実施形態では、親機２、子機３、及び子機４が設置された各部屋の室温（親機２、子機３、及び子機４が測定した各温度）が、１７°Ｃ〜２８°Ｃの快適な温度範囲内に入っていない場合には、上記の１７°Ｃ〜２８°Ｃの温度範囲内に入っていない部屋に設置された測定装置を表すマークと、このマークから延びるラインを、所定の時間間隔で点滅させるようにした。けれども、親機２、子機３、及び子機４が測定した各温度が、快適な温度範囲内に入っていない場合に、この温度範囲内に入っていない部屋に設置された測定装置を表すマークのみを、所定の時間間隔で点滅させて、このマークから延びるライン（の枠線）を、点灯させるようにしてもよい。また、親機２、子機３、及び子機４が測定した各温度が、快適な温度範囲内に入っていない場合に、この温度範囲内に入っていない部屋に設置された測定装置を表すマークのみに、×印を重ねて表示してもよいし、上記の測定装置を表すマークと、このマークから延びるラインの両方に、×印を重ねて表示してもよい。
【００４４】
変形例５： 
上記の実施形態では、センサ取付部８３に、温湿度センサ８２にかかる水滴が、子機４の装置外部へ流れ出るように、傾斜部８５を設けた。けれども、必ずしも、センサ取付部に傾斜（部）を設ける必要はない。例えば、温湿度センサを、子機の下部に取り付けて、子機の筐体における、温湿度センサの周囲の側面（筐体下面と筐体側面の下部）に通気口を設ける構成にすれば、上記の実施形態のように、センサ取付部に傾斜（部）を設けなくても、温湿度センサにかかる水滴が、子機の装置外部へ流れ出るようにすることができる。
【００４５】
変形例６： 
上記の実施形態では、請求項における第１の温度測定装置、第２の温度測定装置、及び第３の温度測定装置が、いずれも、温度と湿度の両方を測定可能な測定装置（親機２、子機３、及び子機４）である場合の例について示した。けれども、本発明のヒートショック防止システムにおける第１の温度測定装置、第２の温度測定装置、及び第３の温度測定装置は、これに限られず、温度を測定することができる装置であればよい。
【符号の説明】
【００４６】
１    ヒートショック防止システム
２    親機（第１の温度測定装置）
３    子機（第２の温度測定装置）
４    子機（第３の温度測定装置）
６    表示部
９    浴室
１４  無線通信部（第１の無線通信部）
１９  電池（第１の電池）
２１  表示制御部
２２  第１の報知部
２３  第２の報知部
３４  無線通信部（第２の無線通信部、第３の無線通信部）
３９  電池（第２の電池、第３の電池）
４６  親機マーク（第１の印）
４７  第１子機マーク（第２の印）
５０  第２子機マーク（第３の印）
６５  ライン（第１の印と第２の印との間）
６６  ライン（第２の印と第３の印との間）
６７  ライン（第１の印と第３の印との間）
８２  温湿度センサ（防水処理が施された温度センサ）
８３  センサ取付部
８５  傾斜部（傾斜）
８７  モジュール
【図１】
2019207073.tif 000003
【図２】
2019207073.tif 000004
【図３】
2019207073.tif 000005
【図４】
2019207073.tif 000006
【図５】
2019207073.tif 000007
【図６】
2019207073.tif 000008
【図７】
2019207073.tif 000009
【図８】
2019207073.tif 000010
【図９】
2019207073.tif 000011
【図１０】
2019207073.tif 000012
【図１１】
2019207073.tif 000013
【図１２】
2019207073.tif 000014
【図１３】
2019207073.tif 000015
【図１４】
2019207073.tif 000016